(57)【要約】【課題】  応答者の不在を特定して留守番電話機能へ移行することができる留守番電話モードを設定できるボタン電話装置を提供する【解決手段】  留守番電話モードに設定できるボタン電話主装置１と、ボタン電話主装置に収容されるボタン電話機２とからなるボタン電話装置であって、ボタン電話機２に、電話応答者本人を特定できるＩＤが書き込まれたＲＦＩＤタグ３１からＲＦＩＤ情報を読み取るＲＦＩＤ情報読取手段と、読み取ったＲＦＩＤ情報等をボタン電話主装置に送るＲＦＩＤ情報等送信手段を備え、ボタン電話主装置１に、ボタン電話機２からのＲＦＩＤ情報等を受信するＲＦＩＤ受信手段と、受信したＲＦＩＤ情報からボタン電話機の周辺にＲＦＩＤタグが存在するか否かを識別するＲＦＩＤタグ存在識別手段と、ＲＦＩＤタグの有無の情報に基づいて留守番電話モードを設定または解除する留守番モード設定手段とを備えた。【選択図】      図４
2006074179.tif 000002
【特許請求の範囲】
【請求項１】
留守番電話モードに設定できるボタン電話主装置と、ボタン電話主装置に収容されるボタン電話機とからなるボタン電話装置であって、
ボタン電話機に、電話応答者本人を特定できるＩＤが書き込まれたＲＦＩＤタグからＲＦＩＤ情報を読み取るＲＦＩＤ情報読取手段と、読み取ったＲＦＩＤ情報等をボタン電話主装置に送るＲＦＩＤ情報等送信手段を備え、
ボタン電話主装置に、ボタン電話機からのＲＦＩＤ情報等を受信するＲＦＩＤ受信手段と、受信したＲＦＩＤ情報からボタン電話機の周辺にＲＦＩＤタグが存在するか否かを識別するＲＦＩＤタグ存在識別手段と、ＲＦＩＤタグの有無の情報に基づいて留守番電話モードを設定または解除する留守番モード設定手段とを備えたことを特徴とするボタン電話装置。
【請求項２】
請求項１記載のボタン電話装置において、
ボタン電話主装置は、ボタン電話機毎に、ＲＦＩＤタグの有無を識別して留守番電話モードを設定または解除することを特徴とするボタン電話装置。
【請求項３】
請求項１記載のボタン電話装置において、
ボタン電話主装置は、外線毎に、ＲＦＩＤタグの有無を識別して留守番電話モードを設定または解除することを特徴とするボタン電話装置。
【請求項４】
請求項１記載のボタン電話装置において、
ボタン電話主装置は、着信の発信者番号毎に、ＲＦＩＤタグの有無を識別して留守番電話モードを設定または解除することを特徴とするボタン電話装置。
【請求項５】
請求項１記載のボタン電話装置において、
ボタン電話機に、留守番電話モードを設定または解除するボタンを設け、
ボタン電話主装置は、ボタン電話機から受信した留守番モード設定または解除情報と前記ＲＦＩＤ情報とを組み合わせて留守番電話モードを設定または解除することを特徴とするボタン電話装置。
【請求項６】
請求項１記載のボタン電話装置において、
ボタン電話主装置は、時計手段と、所定の時間になると留守番電話モードを設定または解除する時刻による留守番電話モード設定／解除手段とを備え、時刻による留守番電話モード設定／解除手段の結果とＲＦＩＤ情報の両方を組み合わせて留守番電話モードを設定または解除することを特徴とするボタン電話装置。
【請求項７】
留守番電話モードに設定できる留守番電話機において、
ＲＦＩＤタグからＲＦＩＤを読み取るＲＦＩＤ情報読取機能と、
電話機に登録されたＲＦＩＤタグがＲＦＩＤの動作範囲内にあることを探索する機能と、
電話機に登録されたＲＦＩＤタグの全てがＲＦＩＤの動作範囲外にあるときに当該電話機を留守番電話モードに設定する機能
を備えたことを特徴とする留守番電話機。
【請求項８】
ボタン電話機からのＲＦＩＤ情報等を受信するＲＦＩＤ情報受信手段と、受信したＲＦＩＤ情報からボタン電話機の周辺にＲＦＩＤタグの有無を識別するＲＦＩＤタグ存在識別手段と、ＲＦＩＤタグの有無の情報に基づいて留守番電話モードを設定または解除する留守番モード設定手段とを備えた留守番電話モードに設定できるボタン電話主装置と、ボタン電話主装置に収容され、電話応答者本人を特定できるＩＤが書き込まれたＲＦＩＤタグからＲＦＩＤ情報を読み取るＲＦＩＤ情報読取手段と、読み取ったＲＦＩＤ情報等をボタン電話主装置に送るＲＦＩＤ情報等送信手段を備えたボタン電話機とからなるボタン電話装置の留守番電話モード設定方法であって、
ボタン電話機がＲＦＩＤ要求を送出する処理と、ＲＦＩＤタグからの応答を受信することによってＲＦＩＤタグの有無を認識する処理と、ＲＦＩＤ情報をボタン電話主装置に送出する処理と、ボタン電話主装置がボタン電話機から受信したＲＦＩＤ情報に基づいてボタン電話機の周辺にＲＦＩＤタグが存在するか否かを識別する処理と、ＲＦＩＤタグの有無の情報に基づいて留守番電話モードを設定または解除する処理を有することを特徴とするボタン電話装置の留守番電話モード設定方法。
【発明の詳細な説明】
【技術分野】
【０００１】
本発明は、ボタン電話装置に関し、特にボタン電話装置の主装置及びボタン電話機等の端末の付近に電話応答者が居ない場合に、そのボタン電話装置の着信時の応答を留守番モードに自動的に設定するボタン電話装置に関する。
【背景技術】
【０００２】
従来からボタン電話装置においては、ボイスメール装置等を使った留守番電話機能を持ったものが公知である。これらのボタン電話装置では、ユーザーが外出状況等により自ら機能のオン・オフをボタン操作で行う。或いは、時計機能を持ち、予め設定した時間により自動でオン・オフされる。また、外出先から電話を利用して転送電話機能のオン・オフの切り替えをリモート操作で実施できるものがある。
【０００３】
さらに、これらの操作を自動化する手段として一定時間ボタン電話機のボタンが操作されずに待機状態が継続した場合に自動的に留守番モードにする制御が行われていた（例えば、特許文献１参照）。また、取扱者が不在であるかを、センサ等を利用して検出して、人が居ない場合に自動的に留守番モードにする制御が行われていた（例えば、特許文献２，３参照）。
【０００４】
【特許文献１】特開２００２−１０１２０１号公報
【特許文献２】実開平６−３１２６０号公報
【特許文献３】特開平７−４６３０７号公報
【発明の開示】
【発明が解決しようとする課題】
【０００５】
上記、背景技術では、ボタン電話機の操作が行われないことを検出して不在判定を行っているが、たまたま電話を使用する機会が少ない時間帯などでは、在席しているにも関わらず留守番モードに移行してしまうという問題がある。また、センサによる人の検出においては、電話応答者以外の人でも検出されると不在と判定されず、絶えず人の出入りがあるような場所においては機能しないという問題があった。
【０００６】
さらに、ボタン電話装置のように複数の回線と複数のボタン電話機で構成される装置においては、着信に対して応答する人が決まっているようなケースもあり、其の着信の応答者の不在を特定することができないと言う問題があった。
【０００７】
上記問題にかんがみ、本発明は、ボタン電話装置のように複数の回線と複数のボタン電話機で構成される装置においては、着信に対して応答する人が決まっているようなケースにでも、其の着信の応答者の不在を特定して留守番電話機能へ移行することができる、留守番電話機のモード変更方法およびボタン電話装置を提供することを目的とする。
【課題を解決するための手段】
【０００８】
上記課題を解決するために、本発明は、ボタン電話機を使用する人がＲＦＩＤ（Ｒａｄｉｏ  Ｆｒｅｑｕｅｎｃｙ  ＩＤ）タグ等の微小電力通信手段（以下ＲＦＩＤタグという）を付加した物（例えば、社員証、名札、携帯電話など）を携帯し、ボタン電話装置のボタン電話機等の端末にＲＦＩＤ情報を読み取る手段と読み取った情報を主装置に送る手段とを備え、ボタン電話装置の主装置には電話機からのＲＦＩＤ情報を受信する手段と受信した情報から、ＲＦＩＤタグを付加した物の有無を識別する手段と、識別した情報に基づき留守番モード設定をオン又はオフにする手段とを備えたことを特徴とする。
【０００９】
上記ボタン電話機を使用する人が携帯するＲＦＩＤタグには、電話応答者本人を特定するＩＤが書かれていて、ボタン電話装置の外線毎に電話応答者が不在か否かを識別して外線毎の留守番モード設定をオン又はオフにすることを特徴とする。また、対象の電話応答者は１人でも複数でも良く、予め登録しておくことにより機能する。
【００１０】
上記ボタン電話機を使用する人が携帯するＲＦＩＤタグには、電話応答者本人を特定するＩＤが書かれていて、ボタン電話装置のボタン電話機毎に電話応答者が不在か否かを識別してボタン電話機毎の留守番モード設定をオン又はオフにすることを特徴とする。また、対象の電話応答者は１人でも複数でも良く、予め登録しておくことにより機能する。
【００１１】
上記ボタン電話機を使用する人が携帯するＲＦＩＤタグには、電話応答者本人を特定するＩＤが書かれていて、ボタン電話装置への着信の発信者番号毎に電話応答者が不在か否かを識別して発信者番号毎の留守番モード設定をオン又はオフにすることを特徴とする。また、対象の電話応答者は１人でも複数でも良く、予め登録しておくことにより機能する。
【００１２】
ボタン電話機を使用する人が席に居る場合でも、都合により電話に応答できない場合には、自らボタン操作等により機能のオン・オフを制御するため、ボタン電話装置のボタン電話機には、設定を手動でオン・オフするためのボタンとボタン操作を読み取る手段と、読み取ったボタン情報を主装置に送る手段とを備え、ボタン電話装置の主装置には電話機からのボタン情報を受信する手段と読み取ったボタン情報の結果と、上記ボタン電話機を使用する人が携帯するＲＦＩＤ情報の結果の両方を組み合わせて、留守番モード設定をオン又はオフする手段をと備える。
【００１３】
例えば、昼間は留守か否かで留守番モード設定のオン又はオフを決め、夜間等はボタン電話機を使用する人が席に居る場合でも、時間になったら自動的に留守番モード設定をオンするような場合に、ボタン電話装置の主装置に時刻を計数する時計手段と予め決めた時間になったら留守番モードを切り替える手段とを備え、時刻による切替手段の結果と上記ボタン電話機を使用する人が携帯するＲＦＩＤ情報の結果の両方を組み合わせて留守番モード設定をオン又はオフする手段とを備える。このボタン電話装置にて、予め決めた時間になっても設定が切り替わっては困る場合には、上記電話機からのボタン情報を受信する手段と読み取ったボタン情報の結果と、上記ボタン電話機を使用する人が携帯するＲＦＩＤ情報の結果の両方を組み合わせて、留守番モード設定をオン又はオフする手段との組み合わせにより留守番モード設定をオン又はオフすることができる。
【００１４】
すなわち、本発明は、留守番電話モードに設定できるボタン電話主装置と、ボタン電話主装置に収容されるボタン電話機とからなるボタン電話装置であって、ボタン電話機に、電話応答者本人を特定できるＩＤが書き込まれたＲＦＩＤタグからＲＦＩＤ情報を読み取るＲＦＩＤ情報読取手段と、読み取ったＲＦＩＤ情報等をボタン電話主装置に送るＲＦＩＤ情報等送信手段を備え、ボタン電話主装置に、ボタン電話機からのＲＦＩＤ情報等を受信するＲＦＩＤ受信手段と、受信したＲＦＩＤ情報からボタン電話機の周辺にＲＦＩＤタグが存在するか否かを識別するＲＦＩＤタグ存在識別手段と、ＲＦＩＤタグの有無の情報に基づいて留守番電話モードを設定または解除する留守番モード設定手段とを備えた。さらに、本発明は、上記ボタン電話装置において、ボタン電話主装置は、ボタン電話機毎に、ＲＦＩＤタグの有無を識別して留守番電話モードを設定または解除するか、外線毎に、ＲＦＩＤタグの有無を識別して留守番電話モードを設定または解除するか、着信の発信者番号毎に、ＲＦＩＤタグの有無を識別して留守番電話モードを設定または解除するようにした。
【００１５】
また、本発明は、上記ボタン電話装置において、ボタン電話機に、留守番電話モードを設定または解除するボタンを設け、ボタン電話主装置は、ボタン電話機から受信した留守番モード設定または解除情報と前記ＲＦＩＤ情報とを組み合わせて留守番電話モードを設定または解除するようにした。また、本発明は、上記ボタン電話装置において、ボタン電話主装置は、時計手段と、所定の時間になると留守番電話モードを設定または解除する時刻による留守番電話モード設定／解除手段とを備え、時刻による留守番電話モード設定／解除手段の結果とＲＦＩＤ情報の両方を組み合わせて留守番電話モードを設定または解除するようにした。
【００１６】
本発明は、留守番電話モードに設定できる留守番電話機において、ＲＦＩＤタグからＲＦＩＤを読み出すＲＦＩＤ読取機能と、電話機に登録されたＲＦＩＤタグがＲＦＩＤの動作範囲内にあることを探索する機能と、電話機に登録されたＲＦＩＤタグの全てがＲＦＩＤの動作範囲外にあるときに当該電話機を留守番電話モードに設定する機能を備えた。
【００１７】
本発明は、ボタン電話機からのＲＦＩＤ情報等を受信するＲＦＩＤ情報受信手段と、受信したＲＦＩＤ情報からボタン電話機の周辺にＲＦＩＤタグの有無を識別するＲＦＩＤタグ存在識別手段と、ＲＦＩＤタグの有無の情報に基づいて留守番電話モードを設定または解除する留守番モード設定手段とを備えた留守番電話モードに設定できるボタン電話主装置と、ボタン電話主装置に収容され、電話応答者本人を特定できるＩＤが書き込まれたＲＦＩＤタグからＲＦＩＤ情報を読み取るＲＦＩＤ情報読取手段と、読み取ったＲＦＩＤ情報等をボタン電話主装置に送るＲＦＩＤ情報等送信手段を備えたボタン電話機とからなるボタン電話装置の留守番電話モード設定方法であって、ボタン電話機がＲＦＩＤ要求を送出する処理と、ＲＦＩＤタグからの応答を受信することによってＲＦＩＤタグの有無を認識する処理と、ＲＦＩＤ情報をボタン電話主装置に送出する処理と、ボタン電話主装置がボタン電話機から受信したＲＦＩＤ情報に基づいてボタン電話機の周辺にＲＦＩＤタグが存在するか否かを識別する処理と、ＲＦＩＤタグの有無の情報に基づいて留守番電話モードを設定または解除する処理を具備した。
【発明の効果】
【００１８】
本発明によれば、ボタン電話装置の電話応答者が不在であることを確実に判定して、留守中に留守番電話が働かないことを回避し、重要な用件を取り逃がすことがなくなる。
【００１９】
また、本発明によれば、着信に対する電話応答者の本人確認が確実にできることから、電話応答者以外が電話機の近くにいる場合にも留守番モードに設定でき、誤って応答者以外が電話に応答してしまうことを防ぐことができる。
【００２０】
さらに、本発明によれば、着信に対する電話応答者の本人確認が確実にできることから、着信に対する留守番機能を外線毎設定、電話機毎設定、発信者番号毎設定の様にきめ細かく不在を検出することができる。
【発明を実施するための最良の形態】
【００２１】
以下、本発明の実施例を添付図面に基づいて詳細に説明する。図１を用いて、本発明の全体構成の概略を説明する。図１において、通信網６を介して発信電話機７と接続されるボタン電話主装置１と、ボタン電話機２からボタン電話装置が構成される。発信側電話機からの着信があった場合に、通常はボタン電話主装置１の中央制御部１１が着信を検出してボタン電話機２を着信させるが、応対者（人）５がＲＦＩＤエリアの外に移動した場合には、応答できないのでボタン電話主装置１内の留守番回路１４が応答して留守番電話機機能が動作する。
【００２２】
図２を用いて、本発明の第１〜第４の実施例に使用するボタン電話装置のボタン電話主装置１及びボタン電話機２の構成の概略を説明する。また、図３を用いて、第１〜第４の実施例に使用するＲＦＩＤタグ３の外観例及び構成概略を説明する。まず、図２を用いてボタン電話装置を構成するボタン電話主装置１と、ボタン電話機２の構成の概要を説明する。ボタン電話装置は、１以上の外線および複数の内線を収容するボタン電話主装置１と、該ボタン電話主装置１に接続された複数のボタン電話機２−１〜２−ｎから構成される。
【００２３】
ボタン電話主装置１は、中央制御部１１と、通話路スイッチ１２と、１以上の外線回路１３−１〜１３−ｎと、留守番回路１４と、複数の内線回路１５−１〜１５−ｎと、記憶部１６と、時計回路１７を有して構成される。
【００２４】
中央制御部１１は、ボタン電話主装置１の各回路からの入力情報（ボタン電話機２からの情報も含む）に対する解析や判断、記憶部１６に対する情報の入出力、各回路の制御を行う手段である。
【００２５】
通話路スイッチ１２は、ボタン電話主装置１内の交換処理（外線と内線の接続、留守番回路の内線・外線への接続、他）を行う手段である。
【００２６】
外線回路１３−１〜１３−ｎは、外線に接続されるインタフェース回路である。ここで言う外線は、一般公衆回線、ＩＰ電話事業者の回線、専用線、私設線、携帯等の無線使用回線（無線／有線変換アダプタ使用）、等も含まれる。
【００２７】
留守番回路１４は、外線回路１３−１〜１３−ｎからの音声を録音したり、録音内容を通話路スイッチ１２経由でボタン電話機２へ送出する回路である。
【００２８】
内線回路１５−１〜１５−ｎは、ボタン電話機２−１〜２−ｎと音声データ、制御データの通信を行うためのインタフェース回路である。
【００２９】
記憶部１６は、通常の記憶部としての働きの他に、留守番モードを切り替えるためのＩＤ情報、ボタン情報、時計情報を記憶する手段である。
【００３０】
時計回路１７は、時刻を計数する回路である。
【００３１】
また、ボタン電話機２は、制御部２１と、データ送受信回路２２と、音声処理部２３と、送受話器２４と、スピーカ２５と、入力回路２６と、表示回路２７と、ＲＦＩＤリーダー／ライター２８を有して構成される。
【００３２】
制御部２１は、ボタン電話機２内の各回路からの入力情報に対する解析や判断、各回路の制御を行う手段である。
【００３３】
データ送受信回路２２は、内線回路１５−１〜１５−ｎを介してボタン電話主装置１と音声データ、制御データの通信を行うためのインタフェース回路である。
【００３４】
音声処理部２３は、音声のデジタル／アナログ変換、アナログ／デジタル変換と、ボタン電話機２内の送受話器２４やスピーカ２５等との通話路切替および音量を制御する手段である。
【００３５】
送受話器２４は、一般的な通話時の送話、受話を行うためのハンドセットである。
【００３６】
スピーカ２５は、着信音の送出や、スピーカによる拡声受話に使用する手段である。
【００３７】
入力回路２６は、ダイヤルキーや機能キーなどの各種情報入力手段である。
【００３８】
表示回路２７は、電話番号、通話時間等を表示するＬＣＤなどを用いて構成される表示手段を含みこの表示手段を駆動する手段である。
【００３９】
ＲＦＩＤリーダー／ライター２８は、ＲＦ信号を送出して社員証３等に付加されたＲＦＩＤタグ３１に電源を供給するとともに、ＲＦＩＤタグ３１と各種情報の送受信を行う手段である。
【００４０】
図３を用いて、ボタン電話機を使用する人が携帯するＲＦＩＤタグを付加した社員証３の一例を説明する。社員証３の内部にＲＦＩＤタグ３１が付加され、ＲＦＩＤタグ３１にはＩＤ情報の記憶部３２がある。
【００４１】
図３に示した社員証は一例であり社員証の他に、名札、携帯電話等の普段携帯する物でＲＦＩＤタグを付加できるものであれば同様の動作が可能である。
【００４２】
第１の実施例の動作を、図４〜図９を用いて、ボタン電話機が２台、電話応答者が５人の構成のシステムで、システム一括で留守番モードをオン又はオフする場合について説明する。
【００４３】
ボタン電話機Ａ２−１及びボタン電話機Ｂ２−２、ＲＦＩＤタグ３１−１〜３１−５が、図４の位置関係、すなわち、ＩＤ番号０００１を有するＲＦＩＤタグ３１−１およびＩＤ番号０００５を有するＲＦＩＤタグ３１−５が、ボタン電話機Ａ２−１のＲＦＩＤエリア（エリア番号１）に存在し、ＩＤ番号０００３を有するＲＦＩＤタグ３１−３が、ボタン電話機Ｂ２−２のＲＦＩＤエリア（エリア番号２）に存在しており、ＩＤ番号０００２を有するＲＦＩＤタグ３１−２およびＩＤ番号０００４を有するＲＦＩＤタグ３１−４が、ボタン電話機Ａ２−１のＲＦＩＤエリア（エリア番号１）またはボタン電話機Ｂ２−２のＲＦＩＤエリア（エリア番号２）のいずれにも存在していない状態にあるとする。ボタン電話装置のボタン電話主装置１は、定期的（Ｓ１０１）に全ボタン電話機２にＩＤ要求を送信する（Ｓ１０２、Ｓ１０３）。ＩＤ要求を受信（Ｓ２０１、Ｓ３０１）したボタン電話機２は、ＲＦＩＤリーダー／ライター２８からＲＦ信号を送出する（Ｓ２０２、Ｓ３０２）。ＲＦＩＤエリア内にあるＲＦＩＤタグ３１はＲＦ信号によりパワーが供給され動作を開始する。
【００４４】
ボタン電話機２からのＲＦ信号にはコマンドが含まれ、ＲＦＩＤタグ３１はそのコマンドを受け取ると記憶部３２に記憶されたＩＤを送信し、ボタン電話機２のＲＦＩＤリーダー／ライター２８はＲＦＩＤタグ３１から送信されたＩＤを受信する（Ｓ２０３、Ｓ３０３）。
【００４５】
ボタン電話機２は、ＲＦＩＤタグ３１からのデータ受信を一定時間監視して（Ｓ２０４、Ｓ３０４）、その時間内に受信したＩＤをボタン電話主装置１に送信する（Ｓ２０５、Ｓ３０５）。
【００４６】
ボタン電話主装置１は、ボタン電話機２から受信したＩＤ情報を、記憶部１６にＩＤ情報テーブルとして記憶する（Ｓ１０４）。ＩＤ情報テーブルは、図５に示すように、ＲＦＩＤタグのＩＤ番号に対応して、ＲＦＩＤタグが存在するエリア番号が記述される。
【００４７】
図５において、全てのＩＤに対してエリア番号が０である（いずれのボタン電話機のＲＦＩＤエリア内にもＲＦＩＤタグが存在しない）場合には（Ｓ１０５）、中央制御部１１は誰も居ないと判定して、留守番モードをオンに設定する（Ｓ１０６）。
【００４８】
また、いずれか１つ以上のＩＤのエリア番号が０以外であった場合には（Ｓ１０５）、誰かが居ると判定して留守番モードをオフに設定する（Ｓ１０７）。
【００４９】
電話機毎にＲＦＩＤタグ３１の不在を検出する場合には、ボタン電話主装置１に記憶されるＩＤ情報テーブルは、図６に示す構成を取る。すなわち、ＩＤ情報テーブルはＩＤ番号に対応して存在するエリア番号と、電話機毎のＲＦＩＤタグの不存在を探索する対象とするか否かを記述して構成される。各ボタン電話機２は電話機毎にＲＦＩＤタグの不存在を検出する対象とするか非対象とするかが設定された電話機毎の対象／非対象領域が対象に設定されたＩＤだけを確認して、対象のＩＤ全てのエリア番号が０である場合に留守番モードをオン、対象ＩＤのいずれか１つ以上のＩＤのエリア番号が０以外である場合に留守番モードをオフに設定する。すなわち、図６のように設定されている場合は、ボタン電話機Ａ２−１はＩＤが０００１，０００２，０００３のＲＦＩＤタグ３１の存在を確認し、ボタン電話機Ｂ２−２はＩＤが０００１，０００４，０００５のＲＦＩＤタグ３１の存在を確認する。
【００５０】
外線毎、発信者番号毎に不在を検出する場合は、記憶されるデータは図７、８の様になり、判定方法は電話機毎の場合と同様となる。すなわち、外線毎にＲＦＩＤタグ３１の不在を検出する場合には、ボタン電話主装置１に記憶されるＩＤ情報テーブルは、図７に示す構成を取る。すなわち、ＩＤ情報テーブルはＩＤ番号に対応して存在するエリア番号と、外線毎のＲＦＩＤタグの不存在を探索する対象とするか否かを記述して構成される。各ボタン電話機２は外線毎にＲＦＩＤタグの不存在を検出する対象とするか非対象とするかが設定された外線毎の対象／非対象領域が対象に設定されたＩＤだけを確認して、対象のＩＤ全てのエリア番号が０である場合に留守番モードをオン、対象ＩＤのいずれか１つ以上のＩＤのエリア番号が０以外である場合に留守番モードをオフに設定する。すなわち、図７のように設定されている場合は、外線１はＩＤが０００１，０００２，０００３のＲＦＩＤタグ３１の存在を確認し、外線２はＩＤが０００１，０００４，０００５のＲＦＩＤタグ３１の存在を確認する。
【００５１】
着信の発信者番号ごとにＲＦＩＤタグ３１の不在を検出する場合には、ボタン電話主装置１に記憶されるＩＤ情報テーブルは、図８に示す構成を取る。すなわち、ＩＤ情報テーブルはＩＤ番号に対応して存在するエリア番号と、発信者番号毎のＲＦＩＤタグの不存在を探索する対象とするか否かを記述して構成される。各ボタン電話機２は発信者番号毎にＲＦＩＤタグの不存在を検出する対象とするか非対象とするかが設定された発信者番号毎の対象／非対象領域が対象に設定されたＩＤだけを確認して、対象のＩＤ全てのエリア番号が０である場合に留守番モードをオン、対象ＩＤのいずれか１つ以上のＩＤのエリア番号が０以外である場合に留守番モードをオフに設定する。すなわち、図８のように設定されている場合は、発信者番号１はＩＤが０００１，０００２，０００３のＲＦＩＤタグ３１の存在を確認し、発信者番号２はＩＤが０００１，０００４，０００５のＲＦＩＤタグ３１の存在を確認する。
【００５２】
本発明の第２の実施例の動作を説明する。第２の実施例は、第１の実施例と以下に示すボタン操作による留守番モードのオン又はオフの組み合わせであり、第１の実施例で説明した部分は以下の説明では省略及び簡略化する。
【００５３】
図４において、ＲＦＩＤタグ３１−１、３１−５はボタン電話機Ａ２−１のＲＦＩＤエリア内に、ＲＦＩＤタグ３１−３はボタン電話機Ｂ２−２のＲＦＩＤエリア内にあり、実施例１に従えば自動的に、留守番モードはオフに設定される。このような状態でも電話に出られない状況下では、意図的に留守番モードをオンにすることが必要である。
【００５４】
その場合には、留守番モードをオンにしたい人は、ボタン電話機２の入力回路２６から留守番モードをオンするためのボタンを押す。ボタン電話機２の制御部２１はボタンが押されたことを認識し、データ送受信回路２２からボタン電話主装置１へボタン情報を送信する。
【００５５】
これ以降の動作を、図１０を用いて説明する。ボタン電話主装置１の中央制御部１１は、内線回路１５を経由してボタン電話機２から送信されたボタン情報を受信する（Ｓ４０１）。受信したボタン情報を記憶部１６に記憶する（Ｓ４０２）。制御部１１は、ボタン情報が“１”（留守番モードオン）の場合には（Ｓ４０３）、ＩＤ情報に関係なく留守番モードをオンに設定する（Ｓ４０７）。
【００５６】
ボタン情報が“０”（留守番モードオフ）の場合には（Ｓ４０３）、記憶部１６に記憶されたＩＤ受信情報を読出し（Ｓ４０４）、全てのＩＤに対してエリア番号が“０”である場合には（Ｓ４０５）、中央制御部１１は誰も居ないと判定して、留守番モードをオンに設定する（Ｓ４０７）。
【００５７】
また、いずれかの１つ以上のＩＤのエリア番号が“０”以外であった場合には（Ｓ４０５）、誰かが居ると判定して留守番モードをオフに設定する（Ｓ４０６）。
【００５８】
第２の実施例は、システム一括で留守番モードに切り替える例で説明しているが、同様に外線毎、電話機毎、発信者番号毎の場合も、記憶されたデータとボタン操作の組み合わせで、留守番モードのオン又はオフを行うことができる。
【００５９】
第３の実施例の動作を説明する。第３の実施例は、第１の実施例と以下に示す設定時刻による留守番モードのオン又はオフの組み合わせであり、第１の実施例で説明の部分は以下の説明では省略及び簡略化する。図４において、ＲＦＩＤタグ３−１、３−５はボタン電話機Ａ２−１のＲＦＩＤエリア内に、ＲＦＩＤタグ３−３はボタン電話機Ｂ２−２のＲＦＩＤエリア内にあり、実施例１に従えば自動的に留守番モードはオフに設定される。このような状態でも終業時刻後には、意図的に留守番モードをオンにすることが必要な場合がある。
【００６０】
その場合には、ボタン電話主装置１に予め留守番モードをオンにする時刻とオフにする時刻とを設定して、記憶部１６に記憶しておく。設定方法については、ボタン電話機の入力回路から行う方法等があるが、本実施例では説明を省略する。
【００６１】
これ以降の動作を図１１を用いて説明する。ボタン電話主装置１の中央制御部１１は、時計回路１７を定期的に確認して、現在時刻を認識する（Ｓ５０１）。認識した現在時刻と予め記憶部１６に記憶された留守番モードをオン又はオフする時刻とを比較し、モードオン時刻であった場合（Ｎｏ）には（Ｓ５０２）、記憶部１６の時計による留守番モード記憶エリアに留守番モードオンをセットし（Ｓ５０４）、ＩＤ情報に関係なく留守番モードをオンに設定する（Ｓ５０８）。
【００６２】
ステップＳ５０２で、モードオフ時刻であった場合には（Ｙｅｓ）、記憶部１６の時計による留守番モード記憶エリアにモードオフをセットし（Ｓ５０３）、記憶部１６に記憶されているＩＤ受信情報を読出し（Ｓ５０５）、全てのＩＤに対してエリア番号が“０”である場合（Ｙｅｓ）には（Ｓ５０６）、中央制御部１１は誰も居ないと判定して、留守番モードをオンに設定する（Ｓ５０８）。
【００６３】
また、いずれか１つ以上のＩＤのエリア番号が“０”以外であった場合（Ｎｏ）には（Ｓ５０６）、誰かが居ると判定して留守番モードをオフに設定する（Ｓ５０７）。
【００６４】
第３の実施例は、システム一括で留守番モードに切り替える例で説明しているが、同様に外線毎、電話機毎、発信者番号毎の場合も、記憶されたＲＦＩＤ情報と時計比較結果の組み合わせで、留守番モードをオン又はオフにすることができる。
【００６５】
第４の実施例として、第２の実施例と第３の実施例をさらに組み合わせることにより、留守番モードをオン又はオフにすることができる。詳細な説明は省略する。
【００６６】
ＲＦＩＤタグ３１には、電池を持つものと、電池を持たずにボタン電話機２のＲＦＩＤリーダー／ライター２８からのＲＦ信号によりパワーを得るものがあり、本実施例では電池を持たない例を記述しているが、何れの方式でも同様に本発明を実施することが可能である。
【００６７】
本実施例は、ボタン電話装置で説明しているが、構内交換機やＩＰセントレクス等の交換装置においても同様に本発明を実施することが可能である。
【図面の簡単な説明】
【００６８】
【図１】本発明にかかわるボタン電話システムの全体構成を説明する概略図。
【図２】本発明が適用されるボタン電話装置の主装置及びボタン電話機の構成概略図。
【図３】本発明の実施例におけるＲＦＩＤタグの外観例（社員証）及び構成概略図。
【図４】本発明の実施例におけるボタン電話機とＲＦＩＤタグとの位置関係を説明する図。
【図５】本発明のシステム一括で留守番モードを切り替える場合のＩＤ情報テーブル。
【図６】本発明の電話機毎で留守番モードを切り替える場合のＩＤ情報テーブル。
【図７】本発明の外線毎で留守番モードを切り替える場合のＩＤ情報テーブル。
【図８】本発明の発信者番号毎で留守番モードを切り替える場合のＩＤ情報テーブル。
【図９】本発明の第１の実施例における留守番モードオン及びオフの動作フローチャート。
【図１０】本発明の第２の実施例における留守番モードオン及びオフの動作フローチャート。
【図１１】本発明の第３の実施例における留守番モードオン及びオフの動作フローチャート。
【符号の説明】
【００６９】
１：ボタン電話主装置、２：ボタン電話機、３：社員証、５：人、６：通信網、７：発信電話機、１１：中央制御部、１２：通話路スイッチ、１３：外線回路、１４：留守番回路、１５：内線回路、１６：記憶部、１７：時計回路、２１：制御部、２２：データ送受信回路、２３：音声処理部、２４：送受話器、２５：スピーカ、２６：入力回路、２７：表示回路、２８：ＲＦＩＤリーダー／ライター、３１：ＲＦＩＤタグ、３２：記憶部。
【図１】
2006074179.tif 000003
【図２】
2006074179.tif 000004
【図３】
2006074179.tif 000005
【図４】
2006074179.tif 000006
【図５】
2006074179.tif 000007
【図６】
2006074179.tif 000008
【図７】
2006074179.tif 000009
【図８】
2006074179.tif 000010
【図９】
2006074179.tif 000011
【図１０】
2006074179.tif 000012
【図１１】
2006074179.tif 000013